(57)【要約】【課題】無線基地局内における特定の信号経路のデータ転送容量に上限がある場合でも極力多くの端末装置からの受信データを処理できるようにすること。【解決手段】無線部２０は、複数の端末装置の各々から受信する無線信号をベースバンドの受信データに変換する。同期検波処理部４３は、受信データを同期検波する。ＳＩＲ測定部４５は、受信データの無線通信品質（ＳＩＲ）を測定する。チャネルデコーディング部５０は、一定のデータ転送容量を備えた信号経路を介して、同期検波処理部４３から受信データ（RXdata）を取得し、取得した受信データの復号処理を行う。転送データ制御部４６は、信号経路を介して転送されるデータ量の総和が前記一定のデータ転送容量を超えないように、信号経路を介して同期検波処理部４３から転送される受信データの転送データ量を、当該受信データの無線通信品質に基づいて制御する。【選択図】図１
2010268291.tif 000002
【特許請求の範囲】
【請求項１】
複数の端末装置の各々から受信する無線信号をベースバンドの受信データに変換する無線部と、
前記受信データを同期検波する同期検波部と、
前記受信データの無線通信品質を測定する通信品質測定部と、
一定のデータ転送容量を備えた信号経路を介して転送されるデータ量の総和が前記一定のデータ転送容量を超えないように、前記信号経路を介して同期検波部から転送される受信データの転送データ量を、当該受信データの無線通信品質に基づいて制御するデータ制御部と、
を備えた、無線基地局。
【請求項２】
前記データ制御部は、受信データの無線通信品質が良好な場合に、当該受信データのデータ量よりも当該受信データの前記転送データ量を低下させる、
請求項１に記載の無線基地局。
【請求項３】
前記通信品質測定部は、受信データの信号対干渉電力比を測定する、
請求項２に記載の無線基地局。
【請求項４】
前記データ制御部は、受信データの信号対干渉電力比が所定の閾値を超える場合に、当該受信データの無線通信品質が良好であると判断する、
請求項３に記載の無線基地局。
【請求項５】
複数の端末装置の各々から受信する無線信号をベースバンドの受信データに変換し、
前記受信データを同期検波し、
前記受信データの無線通信品質を測定し、
一定のデータ転送容量を備えた信号経路を介して転送されるデータ量の総和が前記一定のデータ転送容量を超えないように、前記信号経路を介して転送される受信データの転送データ量を、当該受信データの無線通信品質に基づいて制御する、
無線基地局におけるデータ処理方法。
【発明の詳細な説明】
【技術分野】
【０００１】
本発明は、無線基地局における受信データに対するデータ処理技術に関する。
【背景技術】
【０００２】
近年、移動体通信の無線アクセス方式として、Ｗ−ＣＤＭＡ（Wideband Code Division Multiple Access：広帯域符号分割多元接続）方式が用いられている（例えば、特許文献１を参照）。図１１に、Ｗ−ＣＤＭＡ方式の無線基地局（ＢＴＳ：Base Transceiver Station）の一般的な構成を示す。Ｗ−ＣＤＭＡ方式の無線基地局は、無線部１２０と、ベースバンド受信部１３１とを主に有している。無線部１２０は、帯域制限部１２１と、ＬＮＡ（Low Noise Amplifier：低雑音増幅器）１２２と、周波数変換器１２３と、Ａ／Ｄ（Analog to Digital）変換器１２４と、アンテナ１２５とを主に有している。ベースバンド受信部１３１は、ＲＡＫＥ（レイク）受信部１４０と、チャネルデコーディング部１５０と、コード発生部１６０と、メモリ１７０と、遅延プロファイル測定部１８０とを主に有している。
【０００３】
無線部１２０では、ＵＥ（User Equipment：例えば移動体通信端末装置などのユーザ装置）（図示せず）において拡散処理された送信信号が、アンテナ１２５により受信される。アンテナ１２５により受信された受信信号は、帯域制限部１２１において帯域制限される。さらに、受信信号は、ＬＮＡ１２２で増幅された後、周波数変換器１２３に入力される。周波数変換器１２３には、局部発振器（図示せず）からの局発信号が入力されている。周波数変換器１２３では、受信信号は、局発信号を用いて周波数変換される。この結果、ベースバンド周波数帯域の受信信号が得られる。さらに、受信信号は、Ａ／Ｄ変換器１２４でディジタルデータ（受信データ）に変換される。受信データは、ＲＡＫＥ受信部１４０に入力されるとともに、メモリ１７０を介して遅延プロファイル測定部１８０に入力される。
【０００４】
遅延プロファイル測定部１８０は、マッチドフィルタ（相関器）１８１と、平均化処理部１８２と、遅延量・パス数検出部１８３とを主に有している。無線基地局（受信側）においては、ＵＥ（送信側）で用いられている上りデータの拡散コードが既知となっている。拡散コードは、コード発生部１６０からメモリ１７０を介して遅延プロファイル測定部１８０に提供される。マッチドフィルタ１８１は、メモリ１７０から取得した受信データと拡散コードとの相関演算を行う。平均化処理部１８２は、マッチドフィルタ１８１による相関演算の結果を平均化処理し、受信データと拡散コードとが一致した数（相関値）を出力する。これにより、ＵＥから送信された信号の遅延量の時間方向の広がりを表すパラメータとしての遅延プロファイルデータが出力される。遅延量・パス数検出部１８３は、入力される遅延プロファイルデータから、到来波と遅延時間とを検出するとともに、直接到来波と遅延到来波との時間遅延間隔に相当するパスタイミングを算出し、ＲＡＫＥ受信部１４０に対してパスタイミングを出力する。以上により、遅延プロファイル測定部１８０は、無線基地局におけるパスサーチ機能を実行し、遅延プロファイルデータから、ＵＥが送信する上りデータのパスタイミング（到達時間）を検出し、ＲＡＫＥ受信部１４０にパスタイミングを通知する。
【０００５】
ＲＡＫＥ受信部１４０は、逆拡散処理部１４１と、逆拡散コード生成部１４２と、同期検波処理部１４３と、ＣＨ（Channel：チャネル）推定処理部１４４とを主に有している。逆拡散処理部１４１は、遅延量・パス数検出部１８３からパスタイミングを取得し、逆拡散コード生成部１４２からのレプリカコード（逆拡散コード）の先頭と受信データの先頭とを一致させ、受信データをレプリカコードに同期させて相関検出する。逆拡散処理部１４１は、直接到来波及び遅延到来波のそれぞれに対して逆拡散回路を有している。各逆拡散回路では、遅延プロファイル測定部１８０から通知されたパスタイミングで受信データと拡散コードとの相関をとって受信データの復調を行う。ＣＨ推定処理部１４４では、例えば、予め振幅と位相とが既知のパイロットシンボルなどを用いて、フェージングによる振幅・位相変動量（チャネル変動量）を検出する。さらに、同期検波処理部１４３では、ＣＨ推定処理部１４４により検出された振幅・位相変動量（チャネル変動量）に基づいて、各逆拡散回路により復調された受信データの補償を行うとともに、補償された受信データの合成を行う。以上により、逆拡散処理後の受信データ、すなわち元のデータが取り出される。ＲＡＫＥ受信部１４０で復調された受信データRXdataは、チャネルデコーディング部１５０にて復号処理される。具体的には、ビタビ復号、誤り訂正、レートマッチングなどの処理が行われる。
【０００６】
図１２は、ＵＥから送信された上りデータ（無線フレーム）、ＲＡＫＥ受信部１４０からチャネルデコーディング部１５０に対して転送される受信データRXdataを示している。上りデータ及び受信データRXdataは、フレーム長が１０msの基本フレーム（Frame）から構成されている。１フレームは、１５スロット（Slot）から成っており、ユーザデータと制御情報とが格納されている。上りデータが無線基地局で受信され、ＲＡＫＥ受信部１４０で受信データRXdataの復調が行われまでには、同期検波処理などによる処理遅延が発生する。また、ＲＡＫＥ受信部１４０からチャネルデコーディング部１５０への受信データRXdataの転送に際しても、転送遅延が発生する。
【先行技術文献】
【特許文献】
【０００７】
【特許文献１】特開２００８−２８３３２０号公報
【発明の概要】
【発明が解決しようとする課題】
【０００８】
ところで、ＲＡＫＥ受信部１４０からチャネルデコーディング部１５０への受信データRXdataの転送は、データバス（パラレル又はシリアル）により転送容量の上限が決まってしまう。このため、ベースバンド受信部１３１において同時に処理できるＵＥ数（呼数）が制限されてしまう。すなわち、ＲＡＫＥ受信部１４０やチャネルデコーディング部１５０の処理量に余裕がある場合でも、データ転送容量（又は、データ転送帯域）がボトルネックとなってベースバンド受信部１３１を搭載するプリント回路板１枚当たりの処理ＵＥ数を増やすことが難しい。
【０００９】
この点について、具体的に説明すると以下のとおりである。
例えば、システムチップレートが３．８４Mcps、拡散率（Spreading Factor：ＳＦ）が１６である場合、シンボルレートは、３．８４Mcpsを１６で割った値２４０kspsとなる。このとき、１スロット単位時間（６６６．６６μs）当たり、１６０シンボルが含まれることになる。ここで、１シンボルが１６bitの固定小数点データであるとし、データバスのデータ転送容量が４００Mbpsであるとすると、１スロット単位時間で処理可能な処理ＵＥ数の上限は、１０４ＵＥ分と定まる。この処理ＵＥ数の上限を増加させるためにデータ転送容量を増加させることとした場合、バス幅を広げる、クロック速度を増やす方策が考えられる。しかしながら、このような方策を採るとすれば、高速クロックによるバス幅の拡張、受信データを処理する回路の大幅な変更等による回路規模の増大に帰結する。そのため、データ転送容量を増加させずに処理ＵＥ数の上限を増加させたいという要請がある。
【００１０】
よって、発明の１つの側面では、無線基地局内における特定の信号経路のデータ転送容量に上限がある場合でも極力多くの端末装置からの受信データを処理できることを可能とする無線基地局、無線基地局におけるデータ処理方法を提供することを目的とする。
【課題を解決するための手段】
【００１１】
第１の観点では、無線基地局が提供される。
この無線基地局は、
（Ａ）複数の端末装置の各々から受信する無線信号をベースバンドの受信データに変換する無線部と、
（Ｂ）前記受信データを同期検波する同期検波部と、
（Ｃ）前記受信データの無線通信品質を測定する通信品質測定部と、
（Ｄ）一定のデータ転送容量を備えた信号経路を介して転送されるデータ量の総和が前記一定のデータ転送容量を超えないように、前記信号経路を介して同期検波部から転送される受信データの転送データ量を、当該受信データの無線通信品質に基づいて制御するデータ制御部と、
を備える。
第２の観点では、上記無線基地局の各部と同様の動作を行う、無線基地局におけるデータ処理方法が提供される。
【発明の効果】
【００１２】
無線基地局内における特定の信号経路のデータ転送容量に上限がある場合でも極力多くの端末装置からの受信データを処理することができる。
【図面の簡単な説明】
【００１３】
【図１】第１実施形態としての無線基地局の概略構成を示すブロック図。
【図２】転送データ制御について説明するフローチャート。
【図３】転送データのメモリマッピングについて説明する概略図。
【図４】転送データのメモリマッピングについて説明する概略図。
【図５】転送データのメモリマッピングについて説明する概略図。
【図６】第２実施形態としての無線基地局の概略構成を示すブロック図。
【図７】転送帯域制御について説明するフローチャート。
【図８】転送データの制御の概略について説明する概略図。
【図９】第３実施形態としての無線基地局の概略構成を示すブロック図。
【図１０】転送帯域制御について説明するフローチャート。
【図１１】背景技術としての無線基地局の概略構成を示すブロック図。
【図１２】Ｗ−ＣＤＭＡのスロット・フレーム構造について説明する概略図。
【発明を実施するための形態】
【００１４】
＜第１の実施形態＞
図１〜５を用いて、第１の実施形態としての無線基地局について説明する。図１に、Ｗ−ＣＤＭＡ（Wideband Code Division Multiple Access：広帯域符号分割多元接続）方式の無線基地局（ＢＴＳ：Base Transceiver Station）の構成を示す。Ｗ−ＣＤＭＡ方式の無線基地局は、無線部２０と、ベースバンド処理カード（第１処理部の一例）３０とを主に有している。無線部２０は、複数のＵＥ（User Equipment：例えば移動体通信端末装置などのユーザ装置）（図示せず）との間でＷ−ＣＤＭＡ方式により無線通信を行う。無線部２０は、帯域制限部２１と、ＬＮＡ（Low Noise Amplifier：低雑音増幅器）２２と、周波数変換器２３と、Ａ／Ｄ（Analog to Digital）変換器２４と、アンテナ２５とを主に有している。ベースバンド処理カードは、無線部２０を介して受信したＵＥの受信データを処理する。ベースバンド処理カード３０は、ベースバンド受信部３１と、ＭＰＵ（Micro Processing Unit：超小型演算処理装置）３２とを主に有している。ベースバンド処理カード３０は、例えば、ベースバンド受信部３１やＭＰＵ３２などを実装するプリント回路板などである。ベースバンド受信部３１は、ＲＡＫＥ（レイク）受信部４０と、チャネルデコーディング部５０（復号部の一例）と、コード発生部６０と、メモリ７０と、遅延プロファイル測定部８０とを主に有している。
【００１５】
無線部２０は、ＵＥにおいて拡散処理された送信信号をアンテナ２５により受信する。アンテナ２５により受信された受信信号は、帯域制限部２１において帯域制限される。さらに、受信信号は、ＬＮＡ２２で増幅された後、周波数変換器２３に入力される。周波数変換器２３には、局部発振器（図示せず）からの局発信号が入力されている。周波数変換器２３では、受信信号は、局発信号を用いて周波数変換される。この結果、ベースバンド周波数帯域の受信信号が得られる。さらに、受信信号は、Ａ／Ｄ変換器２４でディジタルデータ（受信データ）に変換される。受信データは、ＲＡＫＥ受信部４０に入力されるとともに、メモリ７０を介して遅延プロファイル測定部８０に入力される。
【００１６】
遅延プロファイル測定部８０は、マッチドフィルタ（相関器）８１と、平均化処理部８２と、遅延量・パス数検出部８３とを主に有している。無線基地局（受信側）においては、ＵＥ（送信側）で用いられている上りデータの拡散コードが既知となっている。拡散コードは、コード発生部６０からメモリ７０を介して遅延プロファイル測定部８０に提供される。マッチドフィルタ８１は、メモリ７０から取得した受信データと拡散コードとの相関演算を行う。平均化処理部８２は、マッチドフィルタ８１による相関演算の結果を平均化処理し、受信データと拡散コードとが一致した数（相関値）を出力する。これにより、ＵＥから送信された信号の遅延量の時間方向の広がりを表すパラメータとしての遅延プロファイルデータが出力される。遅延量・パス数検出部８３は、入力される遅延プロファイルデータから、到来波と遅延時間とを検出するとともに、直接到来波と遅延到来波との時間遅延間隔に相当するパスタイミングを算出し、ＲＡＫＥ受信部４０に対してパスタイミングを出力する。以上により、遅延プロファイル測定部８０は、無線基地局におけるパスサーチ機能を実行し、遅延プロファイルデータから、ＵＥが送信する上りデータのパスタイミング（到達時間）を検出し、ＲＡＫＥ受信部４０にパスタイミングを通知する。
【００１７】
ＲＡＫＥ受信部４０は、逆拡散処理部４１と、逆拡散コード生成部４２と、同期検波処理部４３（同期検波部の一例）と、ＣＨ（Channel：チャネル）推定処理部４４と、ＳＩＲ（Signal to Interference Ratio：希望波対干渉波比）測定部（通信品質測定部の一例）４５と、転送データ制御部（データ制御部の一例）４６とを主に有している。逆拡散処理部は、受信データを逆拡散処理する。具体的には、逆拡散処理部４１は、遅延量・パス数検出部８３からパスタイミングを取得し、逆拡散コード生成部４２からのレプリカコード（逆拡散コード）の先頭と受信データの先頭とを一致させ、受信データをレプリカコードに同期させて相関検出する。逆拡散処理部４１は、直接到来波及び遅延到来波のそれぞれに対して逆拡散回路を有している。各逆拡散回路では、遅延プロファイル測定部８０から通知されたパスタイミングで受信データと拡散コードとの相関をとって受信データの復調を行う。ＣＨ推定処理部４４では、例えば、予め振幅と位相とが既知のパイロットシンボルなどを用いて、フェージングによる振幅・位相変動量（チャネル変動量）を検出する。さらに、同期検波処理部４３では、ＣＨ推定処理部４４により検出された振幅・位相変動量（チャネル変動量）に基づいて、各逆拡散回路により復調された受信データの補償を行うとともに、補償された受信データの合成を行う。以上により、同期検波処理部４３は、逆拡散処理後のＲＡＫＥ合成された受信データ、すなわち元のデータが取り出される。この受信データは、例えば、図１２を用いて説明した従来と同様のフォーマットを有している。すなわち、受信データは、フレーム長が１０msの基本フレーム（Frame）から構成されている。また、１フレームは、１５スロット（Slot）から成っており、ユーザデータと制御情報とが格納されている。例えば、システムチップレートが３．８４Mcps、拡散率（Spreading Factor：ＳＦ）が１６である場合、シンボルレートは、３．８４Mcpsを１６で割った値２４０kspsとなる。このとき、１スロット単位時間（６６６．６６μs）当たり、１６０シンボルが含まれることになる。ここで、１シンボルが１６bitの固定小数点データを含んでいる。
【００１８】
ＳＩＲ測定部４５は、逆拡散処理部４１により復調された受信データに基づいて、チャネル毎（ＵＥ毎）の無線通信品質を示すＳＩＲを演算する。ＳＩＲは、受信データに含まれる希望信号の電力と干渉信号の電力との比として演算される。具体的な演算については、従来から知られた、基準信号（パイロット信号等）による演算方法を用いることができるため、ここでは詳細な説明は省略する。なお、ＳＩＲ測定部４５では、逆拡散処理部４１により復調された受信データに基づいてＳＩＲを演算するとしたが、ＲＡＫＥ合成後の受信データ、すなわち同期検波処理部４３の出力としての受信データを用いてチャネル毎のＳＩＲを演算してもよい。
【００１９】
転送データ制御部４６は、ＳＩＲ測定部４５が演算したチャネル毎のＳＩＲを用いて、同期検波処理部４３から出力されるチャネル毎の受信データのデータ量を制御する。さらに、転送データ制御部４６は、データ量が制御された受信データを転送データRXdataとして出力する。具体的には、転送データ制御部４６は、転送データRXdataのデータ量の総和がＲＡＫＥ受信部４０とチャネルデコーディング部５０との間の一定のデータ転送容量（又は、データ転送帯域）を超えないように受信データの転送データ量を制御する。
【００２０】
図２は、転送データ制御部４６の転送データ制御について説明するフローチャートである。転送データ制御部４６は、チャネル毎（ＵＥ毎）の受信データに対して、図２に示す転送データ制御を行い、受信データの転送データ量を削減する。具体的には、転送データ制御部４６は、ＳＩＲ測定部４５が演算したチャネル毎のＳＩＲを取得する（ステップＳ１１）。次に、転送データ制御部４６は、取得したＳＩＲが予め設定された所定の閾値以上か否かを判断する（ステップＳ１２）。ＳＩＲが所定の閾値以上である場合、すなわち受信データの無線通信品質が良好である場合（ステップＳ１２においてＹｅｓ）、受信データの各シンボルの転送データ量を１６bitから上位の１２bitに削減し、出力bitとして出力する（ステップＳ１３）。すなわち、転送データ制御部４６は、受信データの各シンボルのデータの下位４bitを間引く。一方、ＳＩＲが所定の閾値未満である場合、すなわち受信データの無線通信品質が良好でない場合（ステップＳ１２においてＮｏ）、受信データの各シンボルのデータ量を１６bitのまま維持し、出力bitとして出力する（ステップＳ１４）。なお、ステップＳ１１〜Ｓ１４の処理は、各チャネルの受信データのスロット毎に行うことができる。これにより、スロット毎に受信データの各シンボルのデータ量を適切に制御することが可能となる。
【００２１】
なお、受信データの無線通信品質が良好である場合には、高い復号利得が得られるため、受信データの各シンボルの転送データ量を間引いたとしても、復号結果が大きく悪化することはない。
【００２２】
ＭＰＵ３２は、転送データ制御部４６から出力される転送データRXdataの転送帯域の監視や、転送タイミングの制御などを司る。例えば、ＭＰＵ３２は、転送データRXdataのデータ量の総和を監視し、そのデータ量の総和に対する、転送データ制御部４６とチャネルデコーディング部５０との間のデータバスのデータ転送容量の余裕を判断する。ＭＰＵ３２は、転送データ制御部４６とチャネルデコーディング部５０との間のデータバスのデータ転送容量の余裕があると判断する場合には、空いたデータ転送容量を用いて、受信処理中のＵＥとは別のＵＥの受信処理（データ転送）を行う。
【００２３】
図３〜５は、転送データ制御部４６から出力される転送データRXdataの構成を説明する概略図である。具体的には、図３〜５は、転送データ制御部４６からチャネルデコーディング部５０へのデータ転送に際して、チャネルデコーディング部５０が参照するメモリへの転送データRXdataのメモリマッピングの一例を示している。図３は、図２のステップＳ１４で説明したように、各シンボルのデータ量が１６bitのまま維持された場合の１スロット分の出力bitのメモリマッピング例を示している。図３に示す出力bitは、各シンボルが１６bit幅で転送されることを示す情報を含むヘッダと、それぞれ１６bit幅を有する１６０個のシンボルとを有している。図３に示すように、各シンボルが１６bit幅で転送される場合には、チャネルデコーディング部５０が参照するメモリは、１アドレスにつき４個のシンボルを格納している。図４は、図２のステップＳ１３で説明したように、各シンボルのデータ量が１２bitに削減された場合の１スロット分の出力bitのメモリマッピング例を示している。図４に示す出力bitは、各シンボルが１２bit幅で転送されることを示す情報を含むヘッダと、それぞれ１２bit幅を有する１６０個のシンボルとを有している。図４に示すように、各シンボルが１２bit幅で転送される場合には、チャネルデコーディング部５０が参照するメモリは、１アドレスにつき５個のシンボルを格納している。図５は、無線通信品質が良好であると判断されたチャネル（ＵＥ＃２，ＵＥ＃３）と、無線通信品質が良好でないと判断されたチャネル（ＵＥ＃１，ＵＥ＃４）とが混在する場合に、転送データ制御部４６から１スロット単位時間当たりに出力される転送データRXdataのメモリマッピング例を示している。
【００２４】
図４に示すように、各シンボルを１２bit幅で転送する場合には、１アドレスにつき５個のシンボルを転送する。一方、図３に示すように、各シンボルを１６bit幅で転送する場合には、１アドレスにつき４個のシンボルを転送する。このため、各シンボルを１２bit幅で転送する場合には、各シンボルを１６bit幅で転送する場合に比して、約１．２５倍の転送を実現することが可能となる。すなわち、転送データ制御部４６とチャネルデコーディング部５０との間のデータバスのデータ転送容量に上限がある場合にも（例えば、４００Mbpsなど）、１６bit幅で転送していた各シンボルのデータ量を削減して１２bit幅で転送することにより、処理ＵＥ数を増加させることが可能となる。
【００２５】
具体的な例で説明すると以下のとおりである。
例えば、システムチップレートが３．８４Mcps、拡散率（Spreading Factor：ＳＦ）が１６である場合、シンボルレートは、３．８４Mcpsを１６で割った値２４０kspsとなる。このとき、１スロット単位時間（６６６．６６μs）当たり、１６０シンボルが含まれることになる。ここで、１シンボルが１６bitの固定小数点データであるとし、データバスのデータ転送容量が４００Mbpsであるとすると、１スロット単位時間で処理可能な処理ＵＥ数の上限は、１０４ＵＥ分と定まる。ここで、各シンボルを１２bit幅で転送する場合には、処理可能な処理ＵＥ数の上限を、データ転送容量を変更せずに１３０ＵＥ分（＝１０４×１．２５）に増加させることが可能となる。
【００２６】
チャネルデコーディング部５０は、ＲＡＫＥ受信部４０で復調された転送データRXdataを復号処理する。具体的には、ビタビ復号、誤り訂正、レートマッチングなどの処理が行われる。より詳しくは、チャネルデコーディング部５０は、転送データRXdataの先頭アドレスにあるヘッダから各シンボルが１６bit幅で転送されているか、１２bit幅で転送されているかを判断する。さらに、転送データRXdata中のあるチャネルの各シンボルが１６bit幅で転送されている場合には、チャネルデコーディング部５０は、１６bitの各シンボルの復号処理を行う。各シンボルが１２bit幅で転送されている場合には、チャネルデコーディング部５０は、各シンボルの下位側に４bitのゼロパディングを行い、各シンボルを１６bit化した後に復号処理を行う。例えば、１２bit幅のシンボルの値が[0xFFF]である場合には、４bitの[0000]を値[0xFFF]の下位側に埋め込み、[0xFFF0]と１６bit化した後に復号処理を行う。
【００２７】
以上説明したように、第１の実施形態としての無線基地局では、受信データの無線通信品質が良好である場合には、受信データの各シンボルの転送データ量を間引いたとしても復号結果が大きく悪化することはない点に着目し、受信データの無線通信品質に基づいて転送データ量を制御するようにした。このため、ベースバンド処理カード３０では、例えばデータバスのデータ転送容量に上限がある場合にも、データ転送のクロック速度やデータバスのバス幅を広げることなく、処理ＵＥ数を増加させることが可能となる。言い換えれば、同じ数のＵＥを処理するのに必要とされるベースバンド処理カード３０の枚数を削減することが可能となる。
【００２８】
＜第２の実施形態＞
図６〜８を用いて、第２の実施形態としての無線基地局について説明する。なお、図１を用いて説明した第１の実施形態の無線基地局を構成する各部と同様の処理を行う部分については、図１に示したのと同様の符号を付し、その詳細な説明を省略する。
図６に示す無線基地局は、複数枚（図６では３枚）の第１、第２及び第３ベースバンド処理カード（第１処理部及び第２処理部の一例）３０ａ，３０ｂ及び３０ｃを有している。第１〜第３ベースバンド処理カード３０ａ〜３０ｃは、それぞれ図１を用いて説明したベースバンド処理カード３０と同様の構成を有している。第１〜第３ベースバンド処理カード３０ａ〜３０ｃは、それぞれのＭＰＵ３２によりお互いにＭＰＵ間通信を行う。
【００２９】
図７は、第１〜第３ベースバンド処理カード３０ａ〜３０ｃのそれぞれのＭＰＵ３２の転送帯域制御について説明するフローチャートである。例えば、第１ベースバンド処理カード３０ａのＭＰＵ３２は、転送データ制御部４６から、転送データ制御部４６が転送データ制御（図２参照）しているそれぞれのＵＥについてのＳＩＲを取得する（ステップＳ２１）。さらに、ＭＰＵ３２は、転送データ制御中のあるＵＥのＳＩＲが劣化し１２bit幅での転送（bit削減モード）を解除して１６bit幅での転送に戻す場合に、第１ベースバンド処理カード３０ａにおいて受信処理を行っているすべてのＵＥの転送データRXdataのデータ量の総和が、転送データ制御部４６とチャネルデコーディング部５０との間の転送帯域の上限を超えるかどうかを判断する（ステップＳ２２）。
【００３０】
具体的には、ＭＰＵ３２は、転送データ制御中のそれぞれのＵＥのＳＩＲが図２のステップＳ１２で用いた所定の閾値以上か否かを判断する。あるＵＥのＳＩＲが所定の閾値未満の場合、すなわちあるＵＥの無線通信品質が良好でない場合には、そのＵＥの受信データを１６bit幅で転送すると仮定した上で、第１ベースバンド処理カード３０ａにおいて受信処理を行っているすべてのＵＥの転送データRXdataのデータ量の総和を計算する。さらに、ＭＰＵ３２は、転送データRXdataのデータ量の総和が所定の閾値（転送帯域の上限値）を超えるか否かを判断する。転送データRXdataのデータ量の総和が所定の閾値を超える場合（ステップＳ２２においてＹｅｓ）、ＭＰＵ３２は、そのＵＥの受信処理を第２又は第３ベースバンド処理カード３０ｂ，３０ｃに移動させる（ステップＳ２３）。具体的には、第１ベースバンド処理カード３０ａのＭＰＵ３２は、第２及び第３ベースバンド処理カード３０ｂ，３０ｃのＭＰＵ３２とのＭＰＵ間通信により、第２及び第３ベースバンド処理カード３０ｂ，３０ｃにおける転送データ制御部４６とチャネルデコーディング部５０との間のデータ転送容量の余裕を判断する。さらに、第１ベースバンド処理カード３０ａのＭＰＵ３２は、第１ベースバンド処理カード３０ａで転送データ制御中のそのＵＥを、データ転送容量に余裕のある第２及び第３ベースバンド処理カード３０ｂ，３０ｃのいずれか一方により受信処理させる。一方、転送データRXdataのデータ量の総和が所定の閾値（転送帯域の上限値）以下である場合（ステップＳ２２においてＮｏ）、ＭＰＵ３２は、第１ベースバンド処理カード３０ａによるそのＵＥの受信処理を続け、転送データ制御部４６からチャネルデコーディング部５０にそのＵＥの受信データを１６bit幅で転送する。
【００３１】
次に、図８を用いて、第１ベースバンド処理カード３０ａと第２ベースバンド処理カード３０ｂとの間での受信処理の移動について具体的に説明する。例えば、図８（Ａ）に示すように、第１ベースバンド処理カード３０ａの転送データ制御部４６とチャネルデコーディング部５０との間のデータバスのデータ転送容量の制約により、１６bit幅で各シンボルを転送する場合には、スロット単位時間当たりの処理ＵＥ数が９６（ＵＥ＃１〜ＵＥ＃９６）であるとする（先に述べた具体例では、理論的には１０８ＵＥまで処理可能）。第１ベースバンド処理カード３０ａで受信処理中の各ＵＥの無線通信品質が良好な場合には、各ＵＥの受信データの各シンボルを１２bit幅で転送する。これにより、図８（Ｂ）に示すように、処理ＵＥ数は、１３０（ＵＥ＃１〜ＵＥ＃１３０）に増加している。第１ベースバンド処理カード３０ａのＭＰＵ３２は、１２bit幅で各シンボルを転送していたＵＥ＃１００の無線通信品質が劣化したことを検知すると、ＵＥ＃１００の受信データの各シンボルを１６bit幅で転送すると仮定した場合の転送データRXdataのデータ量の総和を予測する。さらに、ＭＰＵ３２は、予測した転送データRXdataのデータ量の総和がデータ転送容量の上限を超えるか否かを判断する。例えば、図８（Ｃ）に示すように、ＵＥ＃１００の受信データの各シンボルを１６bit幅で転送するとデータ転送容量の上限を超える場合には、図８（Ｄ）に示すように、第１ベースバンド処理カード３０ａ（図８ではカード＃１）のＭＰＵ３２は、別の第２ベースバンド処理カード３０ｂ（図８ではカード＃２）にＵＥ＃１００の受信処理を移動させる。
【００３２】
以上説明したように、第２の実施形態の無線基地局では、図２を用いたデータ転送処理により、それぞれの第１〜第３のベースバンド処理カード３０ａ〜３０ｃにおける処理ＵＥ数を転送データ制御部４６とチャネルデコーディング部５０との間のデータバスのデータ転送容量の制約のもとで最大にすることが可能となる。さらに、それぞれの第１〜第３ベースバンド処理カード３０ａ〜３０ｃでは、無線通信品質に応じて効率的なデータ転送を行いつつ、データ転送量の総和がデータ転送容量を超えることが予測される場合には、それぞれの第１〜第３ベースバンド処理カード３０ａ〜３０ｃのＭＰＵ３２間で直接的に通信し、それぞれのＵＥの受信処理の移動を行うことが可能となる。
なお、第２の実施形態では、第１ベースバンド処理カード３０ａから第２又は第３ベースバンド処理カード３０ｂ，３０ｃへのＵＥの受信処理の移動に関して説明したが、第２又は第３ベースバンド処理カード３０ｂ，３０ｃからその他のベースバンド処理カードへの受信処理の移動に関しても同様である。さらに、第２の実施形態では、無線基地局が３枚の第１〜第３ベースバンド処理カード３０ａ〜３０ｃを有する場合について説明したが、第２の実施形態において説明した処理は、ベースバンド処理カードの枚数が３枚以外の複数枚の場合であっても同様である。
【００３３】
＜第３の実施形態＞
図９及び１０を用いて、第３の実施形態としての無線基地局について説明する。なお、図１及び図６を用いて説明した第１及び第２の実施形態としての無線基地局を構成する各部と同様の処理を行う部分については、図１及び図６に示したのと同様の符号を付し、その詳細な説明を省略する。
図９に示す無線基地局は、複数枚（図９ではｎ枚）の第１〜第ｎベースバンド処理カード３０ａ〜３０ｄを有している。第１〜第ｎベースバンド処理カード３０ａ〜３０ｄは、それぞれ図１を用いて説明したベースバンド処理カード３０と同様の構成を有している。さらに、無線基地局は、それぞれの第１〜第ｎベースバンド処理カード３０ａ〜３０ｄのＭＰＵ３２とそれぞれ通信し、第１〜第ｎベースバンド処理カード３０ａ〜３０ｄの受信処理を管理する基地局内リソース管理カード９０（管理部の一例）を有している。
【００３４】
図１０は、それぞれの第１〜第ｎベースバンド処理カード３０ａ〜３０ｄのＭＰＵ３２と基地局内リソース管理カード９０とにより実行される転送帯域制御について説明するフローチャートである。基地局内リソース管理カード９０は、それぞれの第１〜第ｎベースバンド処理カード３０ａ〜３０ｄのＭＰＵ３２を介して、各ベースバンド処理カードからリソース管理情報を収集する（ステップＳ３１）。具体的には、基地局内リソース管理カード９０は、それぞれの第１〜第ｎベースバンド処理カード３０ａ〜３０ｄの転送データ制御部４６とチャネルデコーディング部５０との間の転送データRXdataのデータ量の総和を監視する。それぞれのベースバンド処理カードのＭＰＵ３２は、そのベースバンド処理カードで受信処理中のあるＵＥのＳＩＲが劣化し、１２bit幅での転送（bit削減モード）を解除して１６bit幅での転送に戻す場合に、そのベースバンド処理カードで受信処理を行っているすべてのＵＥの転送データRXdataのデータ量の総和が、転送データ制御部４６とチャネルデコーディング部５０との間の転送帯域の上限を超えるかどうかを判断する（ステップＳ３２）。
【００３５】
以下、一例として、第１ベースバンド処理カード３０ａのＭＰＵ３２の処理について説明する。第１ベースバンド処理カード３０ａのＭＰＵ３２は、転送データ制御部４６から、第１ベースバンド処理カード３０ａの転送データ制御部４６が転送データ制御（図２参照）しているそれぞれのＵＥについてのＳＩＲを取得する。さらに、ＭＰＵ３２は、転送データ制御中のあるＵＥのＳＩＲが劣化し１２bit幅での転送（bit削減モード）を解除して１６bit幅での転送に戻す場合に、第１ベースバンド処理カード３０ａにおいて受信処理を行っているすべてのＵＥの転送データRXdataのデータ量の総和が、転送データ制御部４６とチャネルデコーディング部５０との間の転送帯域の上限を超えるかどうかを判断する（ステップＳ３２）。より具体的には、ＭＰＵ３２は、転送データ制御中のそれぞれのＵＥのＳＩＲが図２のステップＳ１２で用いた所定の閾値以上か否かを判断する。あるＵＥのＳＩＲが所定の閾値未満の場合、すなわちあるＵＥの無線通信品質が良好でない場合には、そのＵＥの受信データを１６bit幅で転送すると仮定した上で、第１ベースバンド処理カード３０ａにおいて受信処理を行っているすべてのＵＥの転送データRXdataのデータ量の総和を計算する。さらに、ＭＰＵ３２は、転送データRXdataのデータ量の総和が所定の閾値（転送帯域の上限値）を超えるか否かを判断する。転送データRXdataのデータ量の総和が所定の閾値を超える場合（ステップＳ３２においてＹｅｓ）、基地局装置内リソース管理カード９０は、そのＵＥの受信処理を第２〜第ｎベースバンド処理カード３０ｂ〜３０ｄのいずれかに移動させる（ステップＳ３３）。具体的には、基地局内リソース管理カード９０は、第２〜第ｎベースバンド処理カード３０ｂ〜３０ｄのＭＰＵ３２との通信により、第２〜第ｎベースバンド処理カード３０ｂ〜３０ｄにおける転送データ制御部４６とチャネルデコーディング部５０との間のデータ転送容量の余裕を判断する。そして、第１ベースバンド処理カード３０ａのＭＰＵ３２により、転送データRXdataのデータ量の総和が所定の閾値を超えると判断された場合には、第１ベースバンド処理カード３０ａで受信処理されているそのＵＥを、データ転送容量に余裕のある第２〜第ｎベースバンド処理カード３０ｂ〜３０ｄのいずれかに受信処理させる。一方、転送データRXdataのデータ量の総和が所定の閾値以下である場合（ステップＳ３２においてＮｏ）、ＭＰＵ３２は、第１ベースバンド処理カード３０ａによるそのＵＥの受信処理を続け、転送データ制御部４６からチャネルデコーディング部５０にそのＵＥの受信データを１６bit幅で転送する。なお、上述の説明では、第１ベースバンド処理カード３０ａから第２〜第ｎベースバンド処理カード３０ｂ〜３０ｄへのＵＥの受信処理の移動に関して説明したが、第２〜第ｎベースバンド処理カード３０ｂ〜３０ｄからその他のベースバンド処理カードへの受信処理の移動に関しても同様である。
【００３６】
以上説明したように、第３の実施形態の無線基地局では、図２を用いたデータ転送処理により、それぞれの第１〜第ｎのベースバンド処理カード３０ａ〜３０ｄにおける処理ＵＥ数を転送データ制御部４６とチャネルデコーディング部５０との間のデータバスのデータ転送容量の制約のもとで最大にすることが可能となる。さらに、それぞれの第１〜第ｎベースバンド処理カード３０ａ〜３０ｄでは、無線通信品質に応じて効率的なデータ転送を行いつつ、データ転送量の総和がデータ転送容量を超えそうな場合には、基地局内リソース管理カード９０を介してそれぞれの第１〜第ｎベースバンド処理カード３０ａ〜３０ｃ間でＵＥの受信処理の受け渡しを行うことが可能となる。
【００３７】
なお、第１〜第３の実施形態としての無線基地局では、各シンボルのデータ量を１６bitから１２bitに削減する場合を一例として説明したが、各シンボルのデータ量の値は、これらの値に限定されるものではない。例えば、誤り訂正機能や、その他チャネルデコーディング部５０の復号処理によっては、各シンボルのデータ量の値は、別の値であってもよい。
【００３８】
また、第１〜第３の実施形態としての無線基地局では、移動体通信の無線アクセス方式として、Ｗ−ＣＤＭＡ方式が用いられる場合を一例として説明したが、無線基地局は他の通信方式、例えばＯＦＤＭ（Orthogonal Frequency Division Multiplexing：直交周波数分割多重）方式、ＣＤＭＡ（Code Division Multiple Access：符号分割多元接続）方式、ＴＤＭＡ（Time Division Multiple Access：時分割多元接続）方式などにより通信を行うものであってもよい。各実施形態の無線基地局では、検波後の受信データの転送効率の向上を意図しており、個々の通信方式に依拠するものでないことは明らかである。
【００３９】
以上の実施形態に関し、さらに以下の付記を開示する。
（付記１）
複数の端末装置の各々から受信する無線信号をベースバンドの受信データに変換する無線部と、
前記受信データを同期検波する同期検波部と、
前記受信データの無線通信品質を測定する通信品質測定部と、
一定のデータ転送容量を備えた信号経路を介して転送されるデータ量の総和が前記一定のデータ転送容量を超えないように、前記信号経路を介して同期検波部から転送される受信データの転送データ量を、当該受信データの無線通信品質に基づいて制御するデータ制御部と、
を備えた、無線基地局。（１）
（付記２）
前記データ制御部は、受信データの無線通信品質が良好な場合に、当該受信データのデータ量よりも当該受信データの前記転送データ量を低下させる、
付記１に記載の無線基地局。（２）
（付記３）
前記通信品質測定部は、受信データの信号対干渉電力比を測定する、
付記２に記載の無線基地局。（３）
（付記４）
前記データ制御部は、受信データの信号対干渉電力比が所定の閾値を超える場合に、当該受信データの無線通信品質が良好であると判断する、
付記３に記載の無線基地局。（４）
（付記５）
前記データ制御部は、受信データの信号対干渉電力比が所定の閾値を超える場合に、当該受信データを構成する複数の単位ビット列毎のビット数を削減する、
付記４に記載の無線基地局。
（付記６）
前記ベースバンドの受信データを逆拡散処理する逆拡散処理部をさらに有する、
付記１〜５のいずれかに記載の無線基地局。
（付記７）
広帯域符号分割多元接続方式により各端末装置と無線通信を行う、
付記１〜６のいずれかに記載の無線基地局。
（付記８）
前記データ制御部は、前記信号経路を介して転送されるデータ量の総和に対する前記データ転送容量の余裕に応じて、前記信号経路にて転送される受信データに対応する前記端末装置の数を変更する、
付記１〜７のいずれかに記載の無線基地局。
（付記９）
前記同期検波部、通信品質測定部と、復号部と、データ制御部とをそれぞれ備えた第１処理部、第２処理部を有しており、
第１処理部において、第１受信データに対する転送データ量の制御を行う前に、当該制御を行ったとしたときの前記信号経路を介して転送されるデータ量の総和を予測し、予測したデータ量の総和が前記一定のデータ転送容量を超える場合には、前記第１受信データは第２処理部へ移動させられる、
付記１〜４のいずれかに記載の無線基地局。
（付記１０）
前記第１処理部は、前記第２処理部と直接的に通信することにより、前記第１受信データを第２処理部へ移動させる、
付記９に記載の無線基地局。
（付記１１）
前記第１処理部及び前記第２処理部における前記受信データの処理を管理する管理部、
をさらに備え、
前記第１処理部は、管理部を介して、前記第１受信データを第２処理部へ移動させる、
付記９に記載の無線基地局。
（付記１２）
複数の端末装置の各々から受信する無線信号をベースバンドの受信データに変換し、
前記受信データを同期検波し、
前記受信データの無線通信品質を測定し、
一定のデータ転送容量を備えた信号経路を介して転送されるデータ量の総和が前記一定のデータ転送容量を超えないように、前記信号経路を介して転送される受信データの転送データ量を、当該受信データの無線通信品質に基づいて制御する、
無線基地局におけるデータ処理方法。（５）
（付記１３）
さらに、受信データの無線通信品質が良好な場合に、当該受信データのデータ量よりも当該受信データの前記転送データ量を低下させる、
付記１２に記載の無線基地局におけるデータ処理方法。
【符号の説明】
【００４０】
２０…無線部
２１…帯域制限部
２２…ＬＮＡ
２３…周波数変換器
２４…Ａ／Ｄ変換器
２５…アンテナ
３０…ベースバンド処理カード
３１…ベースバンド受信部
３２…ＭＰＵ
４０…ＲＡＫＥ受信部
４１…逆拡散処理部
４２…逆拡散コード生成部
４３…同期検波処理部
４４…ＣＨ推定処理部
４５…ＳＩＲ測定部
４６…転送データ制御部
５０…チャネルデコーディング部
６０…コード発生部
７０…メモリ
８０…遅延プロファイル測定部
８１…マッチドフィルタ
８２…平均化処理部
８３…遅延量・パス数検出部
【図１】
2010268291.tif 000003
【図２】
2010268291.tif 000004
【図３】
2010268291.tif 000005
【図４】
2010268291.tif 000006
【図５】
2010268291.tif 000007
【図６】
2010268291.tif 000008
【図７】
2010268291.tif 000009
【図８】
2010268291.tif 000010
【図９】
2010268291.tif 000011
【図１０】
2010268291.tif 000012
【図１１】
2010268291.tif 000013
【図１２】
2010268291.tif 000014